(57)【特許請求の範囲】
【請求項１】
建築物の外壁仕上げ材を補修する外壁仕上げ材の補修工法であって、
建築物の躯体から外壁仕上げ材が浮いている補修領域を特定する工程と、
前記補修領域を横切るように、第１の押さえ部材を配置する工程と、
前記補修領域を横切るように配置される前記第１の押さえ部材のうち、長手方向に互いに距離を隔てられた第１部分と第２部分とにそれぞれ対応する、前記補修領域以外の領域の所定の位置にアンカーボルトを固定する工程と、
前記アンカーボルトを挿通させて、前記第１の押さえ部材の前記第１部分と前記第２部分のそれぞれを前記外壁仕上げ材との間に挟み込むように、前記第１部分と前記第２部分のそれぞれに第２の押さえ部材を配置する工程と、
前記アンカーボルトに螺合した所定のネジを締め付けて、前記第２の押さえ部材を介して前記第１の押さえ部材を前記外壁仕上げ材の側に押圧することにより、前記補修領域に位置する前記外壁仕上げ材と前記躯体との隙間が所定の間隔になるまで前記外壁仕上げ材を前記躯体に押し戻す工程と、
前記補修領域の所定の位置に樹脂を注入するための注入孔を形成する工程と、
前記注入孔に樹脂を注入することにより、前記躯体と前記外壁仕上げ材との前記隙間のうち、前記注入孔の周囲に位置する隙間の部分に前記樹脂を充填する工程と、
注入された前記樹脂を硬化させる工程と、
前記第２の押さえ部材および前記第１の押さえ部材を解体する工程と、
前記アンカーボルトおよび前記注入孔がそれぞれ設けられた部分を元の状態に仕上げる工程と
を備えた、外壁仕上げ材の補修工法。
【請求項２】
前記第２の押さえ部材には、前記アンカーボルトが挿通される開口部として、前記アンカーボルトの直径よりも大きいサイズの開口部が形成された、請求項１記載の外壁仕上げ材の補修工法。
【請求項３】
前記第１の押え部材の厚みは前記第２の押さえ部材の厚みよりも厚い、請求項１または２に記載の外壁仕上げ材の補修工法。
【発明の詳細な説明】
【技術分野】
【０００１】
本発明は外壁仕上げ材の補修工法に関し、特に、タイルを使用した外壁の補修工法に関するものである。
【背景技術】
【０００２】
わが国では、建物の外壁仕上げ材としてタイルを使用した建物が多く存在する。図９に示すように、この種の建物では、主として、コンクリート躯体１０１の表面に下地調整モルタル１０２とタイル貼り付けモルタル１０３が塗られ、そのタイル貼り付けモルタル１０３にタイル１０４が貼り付けられている。
【０００３】
一般に、建物の外壁部分は、昼間と夜間の気温差や季節による気温差によって膨張と伸縮を繰り返すことになる。外壁仕上げ材にタイルを使用した建物において、そのような膨張と伸縮とが長年月にわたって繰り返されると、タイルの熱伝導度とコンクリート躯体の熱伝導度との違いから、図１０に示すように、コンクリート躯体１０１と、下地調整モルタル１０２、タイル貼り付けモルタル１０３およびタイル１０４との間に隙間１０６が発生してしまう。すなわち、タイル１０４がコンクリート躯体１０１に対して浮いてしまうという不具合が生じる。
【０００４】
従来、このような外壁部分を補修する工法として、浮いた外壁部分のタイルを取り除いて、新しいタイルに張り替えたり、あるいは、タイルとコンクリート躯体との間に生じた隙間に、エポキシ樹脂を注入するという工法が知られている（特許文献１、特許文献２）。
【先行技術文献】
【特許文献】
【０００５】
【特許文献１】特開２００６−２７４７０９号公報
【特許文献２】特開２００８−１７４９７０号公報
【発明の概要】
【発明が解決しようとする課題】
【０００６】
しかしながら、従来のタイル張り替え工法では、次のような問題点があった。外壁部分のタイル張り替えが必要とされる不具合が生じ始めるのは、一部の例外を除いて施行後およそ十数年が経過してからである。ところが、この時点では、すでに、外壁仕上げ材に使用されているタイルと同じタイルの在庫がなくなっている場合や、そのタイルが廃版になっていることが多い。
【０００７】
このため、新しいタイルに張り替えて補修を行う場合には、外壁仕上げ材に使用されているタイルの色や風合い等に似たタイルに張り替えざるを得なくなる。そうすると、新しいタイルに張り替えた部分の色や風合い等が周囲の部分のそれとは異なってしまい、外観が損なわれてしまうという問題があった。また、騒音や粉塵等の規制がある場合には、タイルの張り替え作業を行うことができないという問題があった。
【０００８】
一方、樹脂を注入することによって補修を行う場合には、樹脂を隙間に注入するために、あらかじめ、タイルの目地の部分に、樹脂を注入する注入孔が形成される。また、樹脂を注入することによって補修可能な隙間の大きさは約０．３〜０．５ｍｍとされる。ところが、タイルがコンクリート躯体に対して浮き過ぎて、タイルとコンクリート躯体との間に、上記寸法よりも大きい隙間が生じた場合には、注入孔を形成する際にタイルが落ちてしまうことがある。また、浮き過ぎたもので、かろうじて注入孔を設けることができたとしても、樹脂の注入圧によって、タイルが落ちてしまうこともある。そのため、樹脂の注入によって外壁部分の補修を行うことができないという問題があった。
【０００９】
本発明は、上記問題点を解決するためになされたものであり、その目的は、新しい外壁仕上げ材に取り換えることなく、外壁部分の補修が可能な外壁仕上げ材の補修工法を提供することである。
【課題を解決するための手段】
【００１０】
本発明に係る外壁仕上げ材の補修工法は、建築物の外壁仕上げ材を補修する工法であって、以下の工程を備えている。建築物の躯体から外壁仕上げ材が浮いている補修領域を特定する。補修領域を横切るように、第１の押さえ部材を配置する。補修領域を横切るように配置される第１の押さえ部材のうち、長手方向に互いに距離を隔てられた第１部分と第２部分とにそれぞれ対応する、補修領域以外の領域の所定の位置にアンカーボルトを固定する。アンカーボルトを挿通させて、第１の押さえ部材の第１部分と第２部分のそれぞれを外壁仕上げ材との間に挟み込むように、第１部分と第２部分のそれぞれに第２の押さえ部材を配置する。アンカーボルトに螺合した所定のネジを締め付けて、第２の押さえ部材を介して第１の押さえ部材を外壁仕上げ材の側に押圧することにより、補修領域に位置する外壁仕上げ材と躯体との隙間が所定の間隔になるまで外壁仕上げ材を躯体に押し戻す。補修領域の所定の位置に樹脂を注入するための注入孔を形成する。注入孔に樹脂を注入することにより、躯体と外壁仕上げ材との隙間のうち、注入孔の周囲に位置する隙間の部分に樹脂を充填する。注入された樹脂を硬化させる。第２の押さえ部材および第１の押さえ部材を解体する。アンカーボルトおよび注入孔がそれぞれ設けられた部分を元の状態に仕上げる。
【００１１】
本発明に係る外壁仕上げ材の補修工法によれば、ネジを締め付けて第２押さえ部材を介して第１押さえ部材を押圧することにより補修領域の外壁仕上げ材を押し戻し、そして、樹脂を注入することで、新しい外壁仕上げ材に取り換えることなく外壁仕上げ材の補修をすることができる。
【００１２】
また、第２の押さえ部材には、アンカーボルトが挿通される開口部として、アンカーボルトの直径よりも大きいサイズの開口部が形成されていることが好ましい。
【００１３】
これにより、アンカーボルトを固定する位置が制約されることなく、アンカーボルトを第２押さえ部材に挿通させることができる。
【００１４】
さらに、第１の押え部材の厚みは第２の押さえ部材の厚みよりも厚いことが好ましい。
これにより、第２押さえ部材を十分に撓らせて、補修領域に位置する外壁仕上げ材を確実に躯体の側に押し戻すことができる。
【図面の簡単な説明】
【００１５】
【図１】本発明の実施の形態に係る外壁仕上げ材の補修工法の一工程を示す平面図である。
【図２】同実施の形態において、図１に示す工程の後に行われる工程を示す平面図である。
【図３】同実施の形態において、図２に示す断面線ＩＩＩ−ＩＩＩにおける断面図である。
【図４】同実施の形態において、図２に示す工程の後に行われる工程を示す断面図である。
【図５】同実施の形態において、図４に示す工程の後に行われる工程を示す断面図である。
【図６】同実施の形態において、締め付け押さえ材に形成されるねじ切りボルトが挿通される開口部の変形例を示す部分平面図である。
【図７】同実施の形態において、締め付け押さえ材に形成されるねじ切りボルトが挿通される開口部の他の変形例を示す部分平面図である。
【図８】同実施の形態において、下地押さえ材の厚みと締め付け押さえ材の厚みの関係を説明するための断面図である。
【図９】施行直後の外壁下げ材の様子を示す断面図である。
【図１０】外壁仕上げ材の問題点を説明するための断面図である。
【発明を実施するための形態】
【００１６】
本発明の実施の形態に係る外壁仕上げ材の補修工法について説明する。まず、外壁仕上げ材としてのタイルをテストハンマーで打診することによって、図１に示すように、タイル４が浮いている補修領域（大きさ、形状等）６を確認する。
【００１７】
次に、その領域６の大きさ等に基づいて、浮いたタイル４をコンクリート躯体１へ押し戻すための、下地押さえ材（４５ｍｍ×４５ｍｍ）１１、締め付け押さえ材（３０ｍｍ×６０ｍｍ）１２、プラグ１４ａおよびねじ切りボルト（６φまたは４φ）１４ｂを含むアンカー（６φまたは４φ）１５、蝶ネジナット（６φまたは４φ）１７、ワッシャー１６等を準備する（図２、図３参照）。下地押さえ材および締め付け押さえ材としては、たとえば、木材を上記寸法にカットしたものを使用する。特に、締め付け押さえ材１２には、ねじ切りボルト１５が挿通される開口部１３が形成されている（図３参照）。
【００１８】
次に、図２および図３に示すように、タイル４が浮いている補修領域６を横切るように２本（あるいは数本）の下地押さえ材１１をそれぞれ適当な位置に配置し、その下地押さえ材と交差するように配置する締め付け押さえ材１２を介して下地押さえ材１１をタイル４の側に押圧する。
【００１９】
まず、補修領域６を横切るように配置する下地押さえ材１１のうち、締め付け押さえ材１２が交差する長手方向に互いに距離を隔てられた第１部分と第２部分とにそれぞれ対応する、補修領域６以外の領域のタイル４の目地５の所定位置に、電動ドリル（図示せず）によって、コンクリート躯体１の表面に達し、さらに、その表面から２０ｍｍ以上の深さとなる開口部８を形成する。
【００２０】
次に、その開口部８にプラグ（アンカープラグ）１４ａを打ち込み、そのプラグ１４ａにねじ切りボルト（アンカーボルト）１４ｂを固定してアンカー１５を形成する。ここで、アンカー１５の本数は、締め付け押さえ材１２の本数によって決まる。１本の締め付け押さえ材１２につき少なくとも２本のアンカー１５を設けるが、タイルが浮いている領域６が広範囲にわたる場合には、計測によりアンカーの本数を決定する。
【００２１】
次に、締め付け押さえ材１２の開口部１３にねじ切りボルト１４ｂを挿通させて、タイル４との間に下地押さえ材１１を挟み込むように、締め付け押さえ材１２を配置する。次に、締め付け押さえ材１２の開口部１３から突出したねじ切りボルト１４ｂのそれぞれに、ワッシャー１６を介在させて蝶ネジナット１７を螺合する。
【００２２】
次に、蝶ネジナット１７を均等に締め付けて、締め付け押さえ部材１２を介して下地押さえ材１１をタイル４の側に押圧することによって、タイルが浮いている補修領域６を徐々にコンクリート躯体１の側に押し戻す。このとき、押し戻しすぎると、コンクリート躯体とタイル４との隙間がなくなってしまい、樹脂を注入することができなくなる。このため、タイルが浮いている補修領域６をテストハンマーで叩いてその打音を確認しながら押し戻す。コンクリート躯体１とタイル４との隙間７が０．３〜０．５ｍｍ程度になったところで、蝶ネジナット１７による締め付けを止める（図４参照）。
【００２３】
次に、その隙間７にエポキシ樹脂を注入する。このエポキシ樹脂の注入方法として、アンカーピニング部分エポキシ樹脂注入工法（工法Ａ）、あるいは、注入口付アンカーピニング部分エポキシ樹脂注入工法（工法Ｂ）がある。工法Ａおよび工法Ｂのいずれの工法も、タイル４の目地５から樹脂を注入するための注入孔１８を形成する。次に、その注入孔１８からエポキシ樹脂１９を注入する。注入されたエポキシ樹脂１９の一部は、注入孔１８からコンクリート躯体１とタイル４との隙間７に流れ込み、注入孔１８の周囲の隙間７の部分にエポキシ樹脂１９が充填される。その後、注入したエポキシ樹脂１９を硬化させて、浮いていた補修領域６のタイル４をコンクリート躯体１に固定する。
【００２４】
次に、エポキシ樹脂１９が硬化した後、蝶ネジナット１７を緩めて、締め付け押さえ材１２と下地押さえ材１１を撤去する。次に、図５に示すように、タイル４の目地５から突出しているねじ切りボルト１４ｂを切断し、その切断面を目地セメント２０にて覆う。また、注入孔１８に露出しているエポキシ樹脂１９の表面も目地セメント２０にて覆う。その後、補修を行った領域の部分の清掃等を行って、一連の補修作業が完了する。
【００２５】
上述した補修工法では、タイル４が浮いていた補修領域６を、コンクリート躯体１との隙間７がエポキシ樹脂を充填できる所定の間隔になるまで押し戻した後に、その隙間７にエポキシ樹脂１９を充填することによって、タイル４が浮いていた補修領域６の補修が行われる。これにより、補修に際して、元のタイル４をそのまま利用することができ、タイル４が浮いていた補修領域６のタイル４を除去する作業が必要なくなるとともに、新しいタイルに張り替える必要もなくなる。
【００２６】
また、タイル４が浮いていた補修領域６を、タイル４とコンクリート躯体１との隙間７がエポキシ樹脂を充填できる所定の間隔になるまで押し戻してエポキシ樹脂１９を注入することで、タイル４が浮いていた補修領域６をコンクリート躯体１に確実に固定することができる。しかも、蝶ネジナット１７を締め付けることで、隙間（間隔）の微調整を容易に行うことができる。
【００２７】
なお、上述した補修工法では、締め付け押さえ材１２に形成される、アンカーボルトとしてのねじ切りボルト１４ｂが挿通される開口部として、ねじ切りボルト１４ｂの直径に対応した開口部１３を、締め付け押さえ材１２の所定の位置に設けた場合を例に挙げて説明した。ところが、タイルが浮いている領域やタイルの目地等との関係では、あらかじめ形成されている開口部１３の位置に一致するように、ねじ切りボルト１４ｂを固定することが困難な場合が想定される。
【００２８】
そこで、締め付け押さえ材１２に形成する開口部として、図６に示すように、たとえば、締め付け押さえ材１２の長手方向に沿った長穴と、これと直交する方向の長穴を組み合わせた開口部１３ａを形成するようにしてもよい。また、図７に示すように、ねじ切りボルト１４ｂの直径よりも大きい開口径を有する開口部１３ｂを形成するようにしてもよい。さらに、開口部として円形に限られず、ねじ切りボルト１４ｂの直径よりも大きいサイズの開口部（図示せず）を形成するようにしてもよい。
【００２９】
このような開口部１３ａ，１３ｂを形成することによって、ねじ切りボルト１４ｂを固定する位置が制約されることなく、ねじ切りボルト１４ｂを開口部１３ａ，１３ｂに確実に挿通させることができる。しかも、ワッシャー１６を介在させて蝶ネジナット１７を締め付けることで、タイル４が浮いた補修領域６を確実に押し戻すことができる。
【００３０】
また、図８（二点鎖線）に示すように、タイル４が浮いた補修領域６に対しては、締め付け押さえ材１２の端部が撓るように蝶ネジナット１７を締め付けることで、十分な押圧力が下地押さえ材１１に作用して、この補修領域６をコンクリート躯体１に押し戻すことができる。このとき、締め付け押さえ部材１２によって押圧される下地押さえ材１１の厚みが薄いと、締め付け押さえ部材１２の端部がタイル４に接触して、下地押さえ材１１を十分に押圧することことができないことが想定される。
【００３１】
そこで、下地押さえ材１１の厚みＬ１を締め付け押さえ材１２の厚みＬ２よりも厚くすることで、締め付け押さえ材１２を十分に撓らせて、タイル４が浮いた補修領域６を確実に押し戻すことができる。そのような下地押さえ材１１としては、一つの部材からなる下地押さえ材を用意してもよいし、２つあるいはそれ以上の下地押さえ材となる部材を積層させるようにしてもよい。
【００３２】
なお、上述した外壁仕上げ材の補修工法において挙げられている下地押さえ材１１および締め付け押さえ材１２のそれぞれの寸法は一例であって、この寸法に限られるものではない。また、タイルが浮いた領域が比較的広範囲にわたる場合には、締め付け押さえ材１２の両端部を蝶ネジナット１７により締め付ける他に、その両端部の間に位置する適当な部分にねじ切りボルトを固定し蝶ネジナットにより締め付けることで、タイルが浮いた領域をより確実に押し戻すことができる。
【００３３】
また、上述した外壁仕上げ材の補修工法では、締め付け押さえ材１２を締め付けるのに蝶ネジナット１７で締め付ける場合を例に挙げて説明したが、蝶ネジナット１７の他にボルトで締め付けるようにしてもよい。また、締め付け押さえ材１２および下地押さえ材１１として、木材を所定の寸法にカットして形成する他に、適当な強度を有する樹脂を成型することによって形成してもよい。さらに、外壁仕上げ材としてタイルを例に挙げて説明したが、上述した外壁仕上げ材の補修工法は、パネルやモルタル等の修復にも適用することができる。
【００３４】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００３５】
本発明は、建物の外壁仕上げ材の補修に有効に利用される。
【符号の説明】
【００３６】
１  躯体コンクリート、２  下地調整モルタル、３  タイル張り付けモルタル、４  タイル、５  目地、６  タイルが浮いた領域、７  隙間、８  開口部、１１  下地押さえ材、１２  締め付け押さえ材、１３  開口部、１４ａ  プラグ、１４ｂ  ねじ切りボルト、１５  アンカー、１６  ワッシャ、１７  蝶ネジナット、１８  注入孔、１９  エポキシ樹脂、２０  目地セメント。
【図１】
0005445957.tif 000002
【図２】
0005445957.tif 000003
【図３】
0005445957.tif 000004
【図４】
0005445957.tif 000005
【図５】
0005445957.tif 000006
【図６】
0005445957.tif 000007
【図７】
0005445957.tif 000008
【図８】
0005445957.tif 000009
【図９】
0005445957.tif 000010
【図１０】
0005445957.tif 000011